(57)【要約】【課題】飲酒者の駐車場階などの特定階への侵入を禁止することで、飲酒運転などの犯罪を未然に防ぐエレベータ運転システムを提供する。【解決手段】制御盤１は、かごの運行を制御すると共に事前に特定階のサービスカットを実施する。かご２には、かご操作盤３、呼気中アルコール濃度検出器４、アナウンス装置５が設けられる。かご操作盤３は、特定階へのかご呼び登録が要求された場合、アナウンス装置５により呼気中アルコール濃度検出器４の操作を要求する。呼気中アルコール濃度検出器４は利用者の呼気を調べる。制御盤１は呼気中アルコール濃度検出器４によりアルコールが検出された場合には特定階のサービスカットを維持すると共にアナウンス装置５を用いて特定階へのサービスが不可能であることを通知する特殊アナウンスをかご内に流す。【選択図】図１
2010126279.tif 000002
【特許請求の範囲】
【請求項１】
エレベータのかご内に設けられたアルコール検出器と、
前記かごの運転制御を行うと共に前記アルコール検出器によるアルコール検出結果に従って特定階のサービスカットを実施する制御盤と
を備えたことを特徴とするエレベータ運転システム。
【請求項２】
前記制御盤は、
前記特定階に対するサービスカットが予め設定されており、前記アルコール検出器によって検出された乗客の呼気中アルコール濃度に従って、前記特定階のサービスカットを解除することを特徴とする請求項１記載のエレベータ運転システム。
【請求項３】
前記制御盤は、
特定階における戸開開始までに前記アルコール濃度検出器により所定濃度以上のアルコールが検出された場合に、前記特定階のサービスカットを実施することを特徴とする請求項１記載のエレベータ運転システム。
【請求項４】
上記エレベータ運転システムは、
さらに、
前記かご内部に乗客がいるかどうかを検出する乗客検出装置と、
前記かごに設置されると共に、前記乗客検出装置によって前記かご内部に乗客がいないことが検出された場合に、前記かご内部の換気を行う換気装置と
を備えたことを特徴とする請求項１〜３のいずれかに記載のエレベータ運転システム。
【請求項５】
前記エレベータ運転システムは、
さらに、
前記サービスカットが実施された際に、前記サービスカットが実施されたアナウンスを行うアナウンス装置を備えたことを特徴とする請求項１〜４のいずれかに記載のエレベータ運転システム。
【請求項６】
サービスカットの対象となる前記特定階は、
駐車場階と管理人階との少なくともいずれかを含むことを特徴とする請求項１〜５のいずれかに記載のエレベータ運転システム。
【請求項７】
請求項１〜６のいずれかに記載のエレベータ運転システムを備えたエレベータ装置。
【発明の詳細な説明】
【技術分野】
【０００１】
この発明は、飲酒者に対して駐車場階のような特定階のサービスカットを実施するエレベータ運転システムに関する。
【背景技術】
【０００２】
従来では、エレベータにカードリーダー、生体照合装置等を設けることで、特定条件を満足した者であるかどうかの判別を行い、特定条件を満たす者と、それ以外の者の乗り合わせを防ぐようにしたエレベータ運転システムがある。特許文献１には、飲酒者を乗場に設けた識別装置により識別し、乗場呼びを通過するエレベータが紹介されている。特許文献２には、飲酒者専用運転を実施するエレベータ運転システムが紹介されている。また従来では、エレベータに、カードリーダー・生体照合装置等を設けることで、サービスカットの実施された階床の出入を許可するエレベータ運転システムがある。特許文献３では、予め設定した情報を記憶したカード情報を読み取り、乗場呼びや、かご呼びを自動登録するエレベータ運転システムが紹介されている。
【特許文献１】昭６１−５３９７４号公報
【特許文献２】特開２００６−２１３４５４号公報
【特許文献３】特開２００５−１７０５２９号公報
【発明の開示】
【発明が解決しようとする課題】
【０００３】
特許文献１ないし特許文献２に示されるような特定条件下の者は、エレベータにおける他人との乗り合わせにおいてお互いに不快感を与えるだけでなく、特定階に侵入することで犯罪を発生させる可能性がある。例えば、飲酒者が駐車場階に侵入することで、飲酒運転を誘発する可能性がある。しかしながら、特許文献１ないし特許文献２では特定条件下の者の駐車場階への侵入の管理ができない課題があった。また、特許文献３に示されるものであれば特定人物の侵入の管理を行うことが可能だが、カード情報で登録を実施しているため、利用者の身体の状態に関わらず登録が許可されてしまう課題があった。
【０００４】
この発明は、上記のような課題を解決するためになされたものであり、飲酒者の特定階への侵入を禁止することで、飲酒運転などの犯罪を未然に防ぐエレベータ運転システムを得ることを目的とする。
【課題を解決するための手段】
【０００５】
この発明のエレベータ運転システムは、
エレベータのかご内に設けられたアルコール検出器と、
前記かごの運転制御を行うと共に前記アルコール検出器によるアルコール検出結果に従って特定階のサービスカットを実施する制御盤と
を備えたことを特徴とする。
【発明の効果】
【０００６】
発明のエレベータ運転システムは、特定階へのサービスを希望する利用者に対し、アルコール濃度検出器によるアルコールが検出がされないときに特定階へのサービスを実施するので、飲酒者の特定階への侵入を禁止し、飲酒運転などの犯罪を未然に防ぐことができる。
【０００７】
実施の形態１．
（サービスカットの定義）
以下の実施の形態ではサービスカットを説明するが、「サービスカット」とは、乗場呼び登録やかご呼び登録を一時的に無効とする動作を指す。また特定階とは自由に設定することができるが、例えば、駐車場階や管理人階など飲酒者へのサービスが不適切と判断される階を指す。つまり特定階のサービスカットとは、特定階の乗場での乗場呼び登録や、特定階を行先階としたかご呼び登録を無効とする動作を指す。
【０００８】
図１は、実施の形態１によるエレベータ運転システム１００を示す構成図である。
図１において、
（１）制御盤１は、エレベータを制御すると共に事前に特定階のサービスカットを実施する。
（２）エレベータのかご２には、かご操作盤３と、呼気中アルコール濃度検出器４（アルコール検出器）と、アナウンス装置５が設けられる。
（３）かご操作盤３は、特定階へのかご呼び登録が要求された場合に、制御盤１に「特定階登録要求信号」を伝送する。
（４）制御盤１は、この「特定階登録要求信号」に応じて、利用者に呼気中アルコール濃度検出器４による呼気検査を要求する。制御盤１はアナウンス装置５により、呼気中アルコール濃度検出器４の操作を要求する。
（５）呼気中アルコール濃度検出器４は、利用者の呼気を調べ、アルコールが検出されなかった場合に制御盤１へ「特定階登録信号」を伝送する。
（６）制御盤１は、この「特定階登録信号」を受信すると、特定階のサービスカットを解除し、かご呼び登録を実施する。
（７）アナウンス装置５は、呼気中アルコール濃度検出器４の操作を要求する特殊アナウンスと、特定階へのサービスが不可能であることを通知する特殊アナウンスを流す。
【０００９】
（動作）
次に、動作について、特定階を駐車場の階とする例により、図２に基づき説明する。
【００１０】
まず、特定階の利用者は、かご２内に設けられたかご操作盤３の駐車場階（特定階の一例）のかご呼び釦を押し、駐車場階へのサービスを要求する（ステップＳ１）。これを受けて、制御盤１は、アナウンス装置５を用いて、アナウンスで呼気中アルコール濃度検出器４による呼気検査を要求する（ステップＳ２）。利用者が呼気中アルコール濃度検出器４にて呼気を検査し、この検査結果によりステップ３で非飲酒者と認められた場合には、駐車場階のかご呼びが登録される（ステップＳ４）。一方、呼気中アルコール濃度検出器４によってステップＳ３で利用者が飲酒者と認められた場合は、制御盤１は、アナウンス装置５によるアナウンスで、駐車場階へのサービスが不可能であることを利用者に通達し（ステップＳ５）、駐車場へのサービスを不能とする（ステップＳ６）。
【００１１】
また、利用者が特定階以外のかご呼び釦を押した場合も（ステップＳ１）、特定階のサービスは実施しない（ステップＳ６）。
【００１２】
実施の形態１によれば、飲酒者に対して特定階のサービスカットを実施するエレベータ運転システムが実現できる。この実現により、飲酒運転などの犯罪を事前に防止することができる。
【００１３】
実施の形態２．
図３、図４を参照して実施の形態２を説明する。図３は、実施の形態２によるエレベータ運転システム２００を示す構成図である。なお実施の形態１と同一または共通する構成要素には同一の符号を付した。エレベータ運転システム２００は実施の形態１のエレベータ運転システム１００に対して、呼気中アルコール濃度検出器４の代わりにかご内のアルコール濃度を検出する「かご内アルコール濃度検出器２０１」を備え、さらにかご内の空気を換気する吸排気装置２０２を備える。
【００１４】
図３を参照するとともに、エレベータ運転システム２００の動作を示すフローチャートの図４を参照して説明する。
【００１５】
制御盤１は、エレベータを制御すると共に特定階のサービスカットを実施することができるものとする。エレベータのかご２には、かご操作盤３と、かご内アルコール濃度検出器２０１と、アナウンス装置５と、吸排気装置２０２が設けられる。かご操作盤３は、特定階へのかご呼び登録が要求された場合に（ステップＳ２１のＹＥＳ）、かご呼び登録を実施する（ステップＳ２２）。制御盤１は、かご呼び登録に応じてかご２を走行させる（ステップＳ２３）。制御盤１は、戸開までにかご内アルコール濃度検出器２０１によりかご内に一定濃度以上のアルコールが検出されたかどうかを判定する（ステップＳ２４）。制御盤１は、検出されなければサービスを実施する（Ｓ２４、Ｓ２９）。一方、検出されたと判定した場合（ステップＳ２４のＹＥＳ）、制御盤１は、特定階のサービスカットを実施し、特定階での戸開前にかご呼びを打ち消す（ステップＳ２５）。かご呼びが打ち消された場合、制御盤１はアナウンス装置５を用いて、特定階へのサービスが不可能であることを通知する特殊アナウンスを流す（ステップＳ２６）。また、制御盤１は、乗客検出装置（例えば、秤装置画像による乗客検出手段、乗客検出センサ等による）により、かご内に乗客がいないことが検出された場合（ステップＳ２７のＹＥＳ）、吸排気装置２０２を用いて、かご内の空気を排気して換気し（ステップＳ２８）、特定階へのサービスを要求する新たな乗客に対してのサービスを可能とする。
【００１６】
実施の形態２によれば、飲酒者に対して呼気中のアルコール濃度検出要求を行うことなく、かご内のアルコール濃度による特定階のサービスカットを実施するエレベータ運転システムが実施できる。
【００１７】
実施の形態１のエレベータ運転システムは、制御盤が、かご内乗客からのアルコール検出結果に従って特定階（例えば駐車場階）のサービスカットを実施するので、飲酒運転のような犯罪を未然に防止できる効果がある。
【００１８】
実施の形態１のエレベータ運転システムは、あらかじめ設定された特定階（例えば駐車場階）のサービスカットを、かご内乗客からアルコール検出がない場合に限り解除するので、飲酒運転のような犯罪を未然に防止できる効果がある。
【００１９】
実施の形態２のエレベータ運転システムでは、前記制御盤は、特定階（例えば駐車場階）における戸開開始までにアルコールが検出された場合に特定階のサービスカットを実施するので、飲酒運転のような犯罪を未然に防止できる効果がある。
【００２０】
実施の形態２のエレベータ運転システムでは、かごに設置された換気装置によりかご内の空気を換気するので、アルコール臭をかご内からなくして快適な環境を提供できる。
【００２１】
実施の形態１、２のエレベータ運転システムでは、アナウンス装置が呼気中アルコール濃度検出器の操作を要求する特殊アナウンス、特定階へのサービスが不可能であることを通知する特殊アナウンス等を流すので、乗客にアルコール検出操作を促し、また、検出結果の効果を通知できる。
【００２２】
実施の形態１、２のエレベータ運転システムでは、サービスカットの対象なる特定階を駐車場階や管理階として設定するので、犯罪を未然に防止できる効果がある。
【図面の簡単な説明】
【００２３】
【図１】実施の形態１におけるエレベータ運転システム１００の構成図。
【図２】実施の形態１におけるエレベータ運転システム１００の動作のフローチャート。
【図３】実施の形態２におけるエレベータ運転システム２００の構成図。
【図４】実施の形態２におけるエレベータ運転システム２００の動作のフローチャート。
【符号の説明】
【００２４】
１  制御盤、２  かご、３  かご操作盤、４  呼気中アルコール濃度検出器、５  アナウンス装置、２０１  かご内アルコール濃度検出器、２０２  吸排気装置、１００，２００  エレベータ運転システム。
【図１】
2010126279.tif 000003
【図２】
2010126279.tif 000004
【図３】
2010126279.tif 000005
【図４】
2010126279.tif 000006